(57)【要約】【課題】本発明は、除菌、脱臭性能の低下を抑制しながら、加湿量を低減することができる空気浄化装置を提供することを目的とする。【解決手段】そしてこの目的を達成するために本発明は、空気浄化手段５は、水を貯水するトレイ６と、トレイ６内の水で電解水を生成する電解ユニット８と、トレイ６内の水に一部が浸漬したフィルター部９とから形成し、送風手段４によって吸気口２から吸い込まれた空気がフィルター部９を介して吹出口３へ送風される構成とし、送風手段４は、第１の風量と、この第１の風量より風量が小さい第２の風量とで動作し、操作手段１５は、第１のノッチと、第２のノッチとを有し、制御手段１６は、第１のノッチ時には、空気浄化手段５を動作させながら送風手段４を第１の風量で動作させ、第２のノッチ時には、空気浄化手段５を動作させながら第１の風量と第２の風量とを交互に動作させるものである。【選択図】図３
2015008774.tif 000002
【特許請求の範囲】
【請求項１】
本体ケースは吸気口と吹出口とを有し、前記本体ケースの上部に操作手段を備え、前記本体ケース内に送風手段と空気浄化手段と、前記送風手段と前記空気浄化手段とを制御する制御手段とを設け、前記空気浄化手段は、水を貯水するトレイと、前記トレイ内の水で電解水を生成する電解ユニットと、前記トレイ内の水に一部が浸漬したフィルター部とから形成し、前記送風手段によって前記吸気口から吸い込まれた空気が前記フィルター部を介して前記吹出口へ送風される構成とし、前記送風手段は、第１の風量と、この第１の風量より風量が小さい第２の風量とで動作し、前記操作手段は、第１のノッチと、第２のノッチとを有し、前記制御手段は、前記第１のノッチ時には、前記空気浄化手段を動作させながら前記送風手段を第１の風量で動作させ、前記第２のノッチ時には、前記空気浄化手段を動作させながら前記第１の風量と前記第２の風量とを交互に動作させることを特徴とする空気浄化装置。
【請求項２】
前記第２のノッチ時には、前記制御手段は、前記送風手段に前記第２の風量から送風を開始させることを特徴とする請求項１記載の空気浄化装置。
【発明の詳細な説明】
【技術分野】
【０００１】
本発明は、水に通電することにより得られる電解水を用いて、空気中の細菌、真菌、ウイルス、臭いなどの除去を行う空気浄化装置に関するものである。
【背景技術】
【０００２】
従来のこの種の空気浄化装置の構造は、以下のようになっていた。
【０００３】
すなわち、水を電気分解して電解水を生成させ、この電解水をフィルター部に供給し、空気と電解水を接触させ、空気中に細菌、ウイルス、臭気等の除去を図る構成となっていた（例えば下記特許文献１）。
【先行技術文献】
【特許文献】
【０００４】
【特許文献１】特開２０１２−０５２６９９号公報
【発明の概要】
【発明が解決しようとする課題】
【０００５】
この種の電解水を室内空気に接触させて、細菌、ウイルス、臭気などの除去を行う空気浄化装置においては、除菌脱臭効果を高めるためには、電解水と空気の接触効率を高めることが求められるが、電解水と空気の接触効率を高めることは、水分の蒸発を促し、加湿してしまうという課題があった。
【０００６】
そこで、本発明は上記課題を解決するものであり、除菌、脱臭性能の低下を抑制しながら、加湿量を低減することができる空気浄化装置を提供することを目的としている。
【課題を解決するための手段】
【０００７】
そして、この目的を達成するために本発明は、本体ケースは吸気口と吹出口とを有し、前記本体ケースの上部に操作手段を備え、前記本体ケース内に送風手段と空気浄化手段と、前記送風手段と前記空気浄化手段とを制御する制御手段とを設け、前記空気浄化手段は、水を貯水するトレイと、前記トレイ内の水で電解水を生成する電解ユニットと、前記トレイ内の水に一部が浸漬したフィルター部とから形成し、前記送風手段によって前記吸気口から吸い込まれた空気が前記フィルター部を介して前記吹出口へ送風される構成とし、前記送風手段は、第１の風量と、この第１の風量より風量が小さい第２の風量とで動作し、前記操作手段は、第１のノッチと、第２のノッチとを有し、前記制御手段は、前記第１のノッチ時には、前記空気浄化手段を動作させながら前記送風手段を第１の風量で動作させ、前記第２のノッチ時には、前記空気浄化手段を動作させながら前記第１の風量と前記第２の風量とを交互に動作させることを特徴とするものである。
【０００８】
この手段により、初期の目的を達成するものである。
【発明の効果】
【０００９】
以上のように本発明は、本体ケースは吸気口と吹出口とを有し、前記本体ケースの上部に操作手段を備え、前記本体ケース内に送風手段と空気浄化手段と、前記送風手段と前記空気浄化手段とを制御する制御手段とを設け、前記空気浄化手段は、水を貯水するトレイと、前記トレイ内の水で電解水を生成する電解ユニットと、前記トレイ内の水に一部が浸漬したフィルター部とから形成し、前記送風手段によって前記吸気口から吸い込まれた空気が前記フィルター部を介して前記吹出口へ送風される構成とし、前記送風手段は、第１の風量と、この第１の風量より風量が小さい第２の風量とで動作し、前記操作手段は、第１のノッチと、第２のノッチとを有し、前記制御手段は、前記第１のノッチ時には、前記空気浄化手段を動作させながら前記送風手段を第１の風量で動作させ、前記第２のノッチ時には、前記空気浄化手段を動作させながら前記第１の風量と前記第２の風量とを交互に動作させることを特徴とするものである。
【００１０】
すなわち、第２のノッチ時には、空気浄化手段を動作させながら第１の風量と第２の風量とを交互に動作させるので、第１のノッチに比べて、所定時間内の総風量が小さくなり、結果として、加湿量も小さくなるものである。更に、第２のノッチで運転する場合には、第１のノッチに比べて短い時間ではあるが、同風量の第１の風量で動作するので、吹出口から吹き出された空気によって、室内を循環する気流の到達距離が、第１のノッチと同じできる。結果として、気流の循環エリアが小さくなり、除菌、脱臭性能が低下することを抑制することができる。
【００１１】
これにより、除菌、脱臭性能の低下を抑制しながら、加湿量を低減することができる空気浄化装置を提供することができる。
【図面の簡単な説明】
【００１２】
【図１】本発明の実施の形態１の空気浄化装置の概略図
【図２】同空気浄化装置の概略断面を示す図
【図３】同空気浄化装置のフィルター部の概略構成を示す図
【図４】同空気浄化装置を示す図
【発明を実施するための形態】
【００１３】
以下、本発明の実施形態について図面を参照しながら説明する。
【００１４】
（実施の形態１）
図１に示すように、本実施形態の空気浄化装置においては、略箱形状の本体ケース１により構成され、本体ケース１の両側面には、略四角形状の吸気口２を設け、また本体ケース１の天面には、略四角形状の吹出口３を設けている。本体ケース１の前面側上部には、カバー部１４を備え、カバー部１４内には、操作手段１５を有している。カバー部１４は、仰角方向に回動することにより開閉可能な構成である。
【００１５】
図２に示すように、この本体ケース１内には、送風手段４と、空気浄化手段５と、制御手段１６とを備えている。
【００１６】
送風手段４は、本体ケース１の上部に設けられ、モータとモータにより回転する羽根車とそれらを囲むケースとから構成されるいわゆるシロッコファンとして形成されている。
【００１７】
空気浄化手段５は、水を貯水するトレイ６と、トレイ６に水を供給する給水タンク７と、トレイ６内の水で電解水を生成する電解ユニット８と、トレイ６内の水に一部が浸漬したフィルター部９とから形成されている。
【００１８】
トレイ６は、天面を開口した箱形状をしており、水を貯水できる構造となっており、本体ケース１の下部に配置され、本体ケース１から水平方向にスライドして着脱可能となっている。
【００１９】
給水タンク７は本体ケース１内部の正面側に、トレイ６に内蔵される形で設置され、トレイ６から着脱可能な構造となっている。
【００２０】
給水タンク７はキャップにより密閉できる構造となっているが、トレイ６に給水タンク７を設置すると、キャップに設けられた水栓が解放され、水がトレイ６に供給される構造となっている。水面が水栓まで上昇してくると、水面により給水タンク７が密閉され、水の供給が停止し、常に一定量の水を供給することができる。
【００２１】
電解ユニット８は、複数枚の電極板で構成されており、この電極板がトレイ６内の水に浸かるように設置され、これらの電極に通電することによりトレイ６内の塩化物イオンを含む水（本実施例では水道水に塩化ナトリウムを溶解させた水）を電気化学的に電気分解することにより、電解水を生成させる。
【００２２】
フィルター部９は、トレイ６において電解ユニット８により生成された電解水と、送風手段４によって本体ケース１内に吸込まれた室内空気とを接触させる部材である。円筒状に構成され、円周部分に空気が流通可能な孔を備えたフィルターを配置し、その一端がトレイ６の電解水に浸漬するように、トレイ６に回転自在に内蔵されている。そして、駆動部（図示しない）による回転され、電解水と室内空気を連続的に接触させる構造となっている。
【００２３】
なお、フィルター部９を構成する材料としては、電解水に反応性の少ない材料、即ち、電解水による劣化が少ない材料、例えばポリオレフィン系樹脂（ポリエチレン樹脂、ポリプロピレン樹脂等）、ＰＥＴ（ポリエチレン・テレフタラート樹脂）、塩化ビニル樹脂、フッ素系樹脂（ＰＴＦＥ、ＰＦＡ、ＥＴＦＥ等）、セルロース系材料又はセラミック系材料等が使用され、本実施例では、ポリエステルが採用される。
【００２４】
以上の構成において、空気浄化装置の動作を説明する。
【００２５】
給水タンク７により水道水がトレイ６に供給される。このときユーザーにより、塩化ナトリウムが同時にトレイ６に投入される。塩化物イオンを含んだ水に対して、電解ユニット８により通電され、電気分解して、活性酸素種を含む電解水を生成する。
【００２６】
ここで、活性酸素種とは、通常の酸素よりも高い酸化活性を持つ酸素分子と、その関連物質のことであり、スーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素を含むものである。
【００２７】
電解水は、フィルター部９の回転によりフィルター部９全体を浸漬し、送風手段４により、吸気口２から本体ケース１内に吸込まれた室内空気と接触することになる。
【００２８】
室内空気とともに本体ケース１内に吸込まれる、空気中の細菌、真菌（カビ）、ウイルス、臭い成分などは、フィルター部９上で、電解水と接触することにより、分解、不活化などがなされ、浄化された空気が、吹出口３から斜め上方へ向け、室内に供給されることになる。この吹出口３から斜め上方へ向け吹き出された空気によって、室内を循環する気流を形成し、この室内を循環する気流を、吸気口２から本体ケース１内に吸込むものである。ここで、浄化された空気は、電解水に浸漬したフィルター部９を介して吹き出されるので、湿気を含んだ空気である。すなわち、浄化された空気の風量が増加すれば、加湿量も増加するものである。
【００２９】
図３に示すように、フィルター部９は中空円筒状に形成し、回転可能にトレイ６に配置され、フィルター部９の回転方向を、空気流路の下流側から電解水の中に入り、空気流路の上流側に移動する方向としたものである。
【００３０】
すなわち、図３中、白抜き矢印が室内空気の流れを示し、塗りつぶし矢印がフィルター部９の回転方向を示している。
【００３１】
また、中空円筒状のフィルター部９の上部外面に近接して、空気流路の上流側と下流側を遮蔽する遮蔽部１０を設け、フィルター部９の電解水の含水量が多くなる空気流路の上流側部分を下流側部分よりも表面積を大きく形成するものであり、空気流路のフィルター部９に対する上流側の風速を、空気流路のフィルター部９に対する下流側の風速より遅くするものである。
【００３２】
すなわち、フィルター部９は遮蔽部１０により風路を隔てられ、室内空気はフィルター部９を２回通過することになる。
【００３３】
また、フィルター部９を中空円筒状に固定する取付枠１１と、取付枠１１を回動させる回転手段（図示せず）とを備え、フィルター部９の中空円筒内で取付枠１１に取付枠１１を回動する回転中心に回転軸１２を設け、風向変更手段１３として、回転軸１２のフィルター部９の中空円筒内部分に略円筒部分を設ける構造とするものであり、空気流路のフィルター部９に対する上流側の風速を、空気流路のフィルター部９に対する下流側の風速より遅くするものである。
【００３４】
すなわち、フィルター部９の中空円筒内も風路として機能することになるが、その風路の一部をこの風向変更手段１３が変更することになり、風路の圧力損失を変更することにより、風速や風向を変更する機能を有することになる。そして本実施例では、フィルター部９の下流側の空気の風速を速めるように風向変更するように設置される。
【００３５】
図４は、空気浄化装置を示す図である。空気浄化装置は、操作手段１５に接続した制御手段１６と、この制御手段１６に接続した送風手段４と空気浄化手段５とから構成している。
【００３６】
制御手段１６は、操作手段１５の操作に応じて、送風手段４と空気浄化手段５の動作を制御する。
【００３７】
送風手段４は、第１の風量と、第２の風量である２種類の風量を有している。第２の風量は、第１の風量より風量が小さいものである。
【００３８】
操作手段１５は、第１のノッチと、第２のノッチとを有している。
【００３９】
本実施例における特徴は、制御手段１６は、操作手段１５が第１のノッチで操作されると、第１のノッチ時には、空気浄化手段５を動作させながら送風手段４を第１の風量で動作させる。また、第２のノッチで操作されると、空気浄化手段５を動作させながら第１の風量と第２の風量とを交互に動作させる点である。
【００４０】
これにより、第１のノッチでは、過加湿になる場合には、第２のノッチで運転することにより、過加湿を抑制できる。すなわち、第２のノッチ時には、空気浄化手段５を動作させながら第１の風量と第２の風量とを交互に動作させるので、第１のノッチに比べて、所定時間内の総風量が小さくなり、結果として、加湿量も小さくなるものである。
【００４１】
第２のノッチで運転する場合には、第１のノッチに比べて短い時間ではあるが、同風量の第１の風量で動作するので、吹出口３から吹き出された空気によって、室内を循環する気流の到達距離が同じになる。これにより、気流の循環エリアが小さくなり、除菌、脱臭性能の低下を抑制することができる。
【００４２】
更に、第２のノッチ時には、空気浄化手段５を動作させながら第１の風量と第２の風量とを交互に動作させるので、所定時間内の加湿量が同じである、つまり所定時間における第２のノッチ時の総風量と同じ総風量である連続運転、および間歇運転に比べ、除菌、脱臭性能が高いものとなる。
【００４３】
まず、例えば、所定時間内の総風量が等しい連続運転の場合には、この連続運転の風量は、第１の風量と第２の風量との間の風量となる。この風量では、第１の風量より小さいので、送風による到達距離が、第１の風量より短くなり、気流の循環エリアも小さくなる。すなわち、第１の風量と第２の風量とを交互に動作させると、所定時間内の総風量が等しい連続運転の場合に比べ、第１の風量時には、気流の循環エリアが大きくなり、除菌、脱臭性能が高いものとなる。
【００４４】
次に、例えば、所定時間内の総風量が等しい間歇運転の場合には、送風が停止する時間が存在する。喫煙が常に行われている場所で使用された場合には、この送風が停止する時間は、脱臭が行われないので、臭気が上昇する。そして、運転が始まると、臭気は下降する。この臭気の上昇と下降を繰り返す場合がある。同様に、第１の風量と第２の風量とを交互に動作させると、第１の風量では、臭気は下降し、第２の風量では、臭気は上昇する場合がある。ここで、所定時間内の総風量が等しい間歇運転の場合には、送風が停止する時間が存在するので、第１の風量と第２の風量とを交互に動作させる場合に比べ、臭気が最も強い時と最も弱い時との差が、大きいものとなる。すなわち、第１の風量と第２の風量とを交互に動作させると、所定時間内の総風量が等しい間歇運転の場合に比べ、臭気の変化が小さくできる。結果として、臭気の変化が小さいので、臭気を感じ難くなり、体感的には、脱臭性能が高いものとなる。
【００４５】
すなわち、所定時間内の加湿量が同じである、第２のノッチ時と、連続運転、および間歇運転とを比較すると、第２のノッチ時には、空気浄化手段５を動作させながら第１の風量と第２の風量とを交互に動作させるので、連続運転、および間歇運転より除菌、脱臭性能が高いものとなる。
【００４６】
第２のノッチ時には、制御手段１６は、送風手段４に第２の風量から送風を開始させるものである。これにより、使用者は、第１のノッチから第２のノッチへノッチを変えた場合に、風量が減少するので、第１のノッチから第２のノッチへ変わったことを体感できる。
【産業上の利用可能性】
【００４７】
以上のように本発明は、本体ケースは吸気口と吹出口とを有し、前記本体ケースの上部に操作手段を備え、前記本体ケース内に送風手段と空気浄化手段と、前記送風手段と前記空気浄化手段とを制御する制御手段とを設け、前記空気浄化手段は、水を貯水するトレイと、前記トレイ内の水で電解水を生成する電解ユニットと、前記トレイ内の水に一部が浸漬したフィルター部とから形成し、前記送風手段によって前記吸気口から吸い込まれた空気が前記フィルター部を介して前記吹出口へ送風される構成とし、前記送風手段は、第１の風量と、この第１の風量より風量が小さい第２の風量とで動作し、前記操作手段は、第１のノッチと、第２のノッチとを有し、前記制御手段は、前記第１のノッチ時には、前記空気浄化手段を動作させながら前記送風手段を第１の風量で動作させ、前記第２のノッチ時には、前記空気浄化手段を動作させながら前記第１の風量と前記第２の風量とを交互に動作させることを特徴とするものである。
【００４８】
すなわち、第２のノッチ時には、空気浄化手段を動作させながら第１の風量と第２の風量とを交互に動作させるので、第１のノッチに比べて、所定時間内の総風量が小さくなり、結果として、加湿量も小さくなるものである。更に、第２のノッチで運転する場合には、第１のノッチに比べて短い時間ではあるが、同風量の第１の風量で動作するので、吹出口から吹き出された空気によって、室内を循環する気流の到達距離が、第１のノッチと同じできる。結果として、気流の循環エリアが小さくなり、除菌、脱臭性能が低下することを抑制することができる。
【００４９】
これにより、除菌、脱臭性能の低下を抑制しながら、加湿量を低減することができる空気浄化装置を提供することができる。
【符号の説明】
【００５０】
１        本体ケース
２        吸気口
３        吹出口
４        送風手段
５        空気浄化手段
６        トレイ
７        給水タンク
８        電解ユニット
９        フィルター部
１０      遮蔽部
１１      取付枠
１２      回転軸
１３      風向変更手段
１４      カバー部
１５      操作手段
１６      制御手段
【図１】
2015008774.tif 000003
【図２】
2015008774.tif 000004
【図３】
2015008774.tif 000005
【図４】
2015008774.tif 000006